(57)【要約】【課題】トイレットペーパーホルダーに装着されたトイレットロールペーパーの切断部を整然として装飾し得るトイレットロールペーパー用装飾具を提供する。【解決手段】トイレットロールペーパーの切断部を着脱自在に挟持するようにした挟み部材１に装飾体２を装着し、挟み部材１と、トイレットペーパーホルダーの側面に着脱可能に付着させて取付けるようにした取付プレート３とが装飾されたチェーン４で連結されて構成されたトイレットロールペーパー用装飾具であって、装飾体２は、挟み部材１の片側表面に着脱可能に装着し、色々なキャラクターの装飾体に取替えられるようにしてトイレ内のイメージチェンジが図れるようにする。【選択図】図１
0003110956.tif 000002
【実用新案登録請求の範囲】
【請求項１】
トイレットロールペーパーの切断部を折り曲げて着脱自在に挟持するようにした挟み部材に装飾体を装着し、挟み部材と、トイレットペーパーホルダーの側面に着脱可能に付着させて取付けるようにした取付プレートとが、装飾されたチェーンで連結されてなることを特徴とするトイレットロールペーパー用装飾具。
【請求項２】
装飾体が、挟み部材の片側表面に着脱可能にして装着されてなることを特徴とする請求項１記載のトイレットロールペーパー用装飾具。
【請求項３】
装飾体が、芳香剤を含有した装飾体であることを特徴とする請求項１又は請求項２記載のトイレットロールペーパー用装飾具。
【考案の詳細な説明】
【技術分野】
【０００１】
本考案は、トイレットロールペーパーの切断部に着脱自在に装着して切断部を装飾し、トイレ内のイメージチェンジが図れるようにしたトイレットロールペーパー用装飾具に関するものである。
【背景技術】
【０００２】
トイレットペーパーホルダーに着脱自在に装着してロールを解きながら切断して使用されるトイレットロールペーパーは、切断部が無造作に切断されて見た目が悪い。そのために特に来客用のトイレでは、客受けを良くするため、トイレットロールペーパーの切断部を三角状に折り曲げてトイレットペーパーホルダーのカバー部で押える工夫はなされているが、トイレットロールペーパーの切断部に装飾性を付加させるような手段は講じられていない。
【０００３】
又、トイレットペーパーを保持すべきペーパーホルダーに取付けられ、前記ペーパーの一部又は全部を覆うカバー部を有する装飾具において、カバー部が、少なくともその一部をステンドグラスで形成したペーパーホルダー用の装飾具は開示されており（特許文献１参照）、本などの一部を着脱自在に挟持する取付具に環状の通し部材を取付けると共に、通し部材に長尺のチェーンを挿通させて、チェーンの両端に通し部材からの抜け止め部を設け、該抜け止め部がチェーンとは別体のアクセサリーとしたページはさみなるものは開示されている。（特許文献２参照）
【特許文献１】特開２０００−１０７０６６号公報
【特許文献２】登録実用新案第３０１４８１１号公報
【考案の開示】
【考案が解決しようとする課題】
【０００４】
しかしながら、上記特許文献１、特許文献２に記載される技術では、トイレットロールペーパーの切断部に着脱自在に装着して切断部を装飾するには適用し難い問題点がある。
よって、本考案は、トイレットロールペーパーの切断部に着脱自在に装着して切断部を装飾し得るトイレットロールペーパー用装飾具を提供することを目的とするものである。
【課題を解決するための手段】
【０００５】
上記目的を達成するため、本考案は、以下に記載するような手段を講じてなるトイレットロールペーパー用装飾具とした。
すなわち、
（１）トイレットロールペーパーの切断部を折り曲げて着脱自在に挟持するようにした挟み部材に装飾体を装着し、挟み部材と、トイレットペーパーホルダーの側面に着脱可能に付着させて取付けるようにした取付プレートとが、装飾されたチェーンで連結されてなることを特徴とするトイレットロールペーパー用装飾具である。
（２）前記装飾体は、挟み部材の片側表面に着脱可能にして装着されてなることを特徴とする。
（３）又、前記装飾体は、芳香剤を含有した装飾体であることを特徴とする。
【考案の効果】
【０００６】
上記手段にて記載する如く、本考案は、トイレットロールペーパーの切断部を折り曲げて着脱自在に挟持するようにした挟み部材に装飾体を装着し、挟み部材とトイレットペーパーホルダーの側面に着脱可能に付着させて取付けるようにした取付プレートとが、装飾されたチェーンで連結されたものであり、挟み部材でトイレットペーパーの切断部を折り曲げて挟持し、取付プレートをトイレットペーパーホルダーの側面に着脱可能に付着させて取付けることにより、トイレットロールペーパーの切断部が整然として装飾され、来客者等に対するトイレ内のイメージアップを図るのに効果を奏すると共に、切断部への着脱は容易で迅速に行え、使用しない場合でもトイレットペーパーホルダーに吊り下げられてその装飾美が醸し出される。
【０００７】
前記装飾体は、挟み部材の片側表面に着脱可能にして装着されているから、装飾体のキャラクターを種々取替えて使用することができ、イメージチェンジが図られる。
【０００８】
又、前記装飾体が、芳香剤を含有し、芳しい香りを放散するようにした装飾体であれば、装飾美のほかにトイレ内の消臭、芳香にも有用となる。
【考案を実施するための最良の形態】
【０００９】
本考案を実施するための最良の形態は、トイレットロールペーパーの切断部を折り曲げて着脱自在に挟持するようにした挟み部材に装飾体を装着し、挟み部材とトイレットペーパーホルダーの側面に着脱可能に付着させて取付けるようにした取付プレートが、装飾されたチェーンで連結された形態であり、前記装飾体は、挟み部材の片側表面に着脱可能にして装着されたものである。以下実施例にて図面を参照して説明する。
【実施例１】
【００１０】
図１は、本考案に係るトイレットロールペーパー用装飾具の実施例を示す図面であり、図示するようにトイレットロールペーパー切断部を折り曲げて着脱自在に挟持するようにした挟み部材１に装飾体２を装着し、挟み部材１と、トイレットペーパーホルダーの側面に着脱可能に付着させて取付けるようにした取付プレート３とが、装飾されたチェーン４で連結されている。
【００１１】
挟み部材１は、二つのアーム１ａ，１ｂが軸５で回動可能に軸支され、軸５に嵌入されたバネ６により挟み口１ｃが常時閉じられ、アーム１ａ，１ｂの下端部をイ，イ方向に指で摘むようにして作動させることにより上端部がロ，ロ方向に作動し、挟み口１ｃが開くようになっており、該挟み口１ｃでトイレットロールペーパーの切断部を折り曲げて着脱自在に挟持するようにしてある。このような挟み部材１はクリップとして一般に市販されており、市販されたものを利用しても良く、又着脱自在に紙等を挟持し得るものであればこれに限定するものではない。
【００１２】
装飾体２は、表面に多数のビーズ（装飾玉）２ａ，…が埋設されてリボン状に形成され、裏面には穴があけられて、先端部の直径が伸縮自在になるようにスリットされた係止ストッパー７，７の根部が差し込み固着されており、係止ストッパー７，７の位置に合わせて挟み部材１の片側表面に穴を設け、該穴に係止ストッパー７，７を差し込むことにより、装飾体２が挟み部材１に着脱可能に取付け装着されている。
【００１３】
そして、上記の如く装飾体２を着脱可能に取付け装着することにより、色々なキャラクターの装飾体に取替えられ、イメージチェンジが図られる。又、芳香剤を含有し、芳しい香りを放散するような装飾体（図示せず）を取付け装着すれば、トイレ内の消臭と同時にトイレ内に芳しい香りを漂わせるのに有用となる。
【００１４】
又、挟み部材１の片側上端部（本実施例図ではアーム１ｂの上端部）には、チェーン４を挿通するための穴が穿設され、該穴にチェーン４が挿通されて図１に図示する取付プレート３に連結されており、取付プレート３は平板３ａの上面に線材を曲げて形成された連結部材３ｂが付着され、該連結部材にチェーン４の端部に取付けられた連結端子４ａを結合させることにより連結されている。
【００１５】
なお、前記取付プレート３は上記の如く平板３ａの上面に線材を曲げて形成された連結部材を付着させたものでなく、例えば平板３ａの上面に連結用のフック（図示せず）が設けられたものでも良く、限定されるものではない。取付プレート３の裏面は両面接着シート（図示せず）等を介在させてトイレットペーパーホルダーの側面に付着させることにより、着脱可能に取付けられる。
【００１６】
又、チェーン４は本実施例図では多数の球体４ｂ，…、４ｃ，…を略等間隔に装着して装飾されたものであるが、これに限定されるものではなく、ネックレス等に使用される色々な装飾されたチェーンを利用することもできる。
【００１７】
図３は、以上のようにしてなるトイレットロールペーパー用装飾具を装着した使用例を示すものであり、トイレットロールペーパー８は、トイレットロールペーパーホルダー９に着脱自在に装着され、カバー部９ａでトイレットロールペーパー８の上部が押えられるようにして覆われている。
【００１８】
前記トイレットロールペーパー８の切断部は折り曲げられて三角状の折り曲げ部８ａを呈しており、折り曲げ部８ａの略中央部端を挟み部材１で挟持し、挟み部材１の片側表面に装飾体２が取付け装着されて、挟み部材１と、トイレットペーパーホルダー９の側面に付着させて取付けられた取付プレート３とが、装飾されたチェーン４で連結された状態となっている。
【００１９】
実施例では、取付プレート３はトイレットペーパーホルダー９の左側面に付着させて取付てあるが、右側面に付着させて取付けても良く、この場合、図３の図示とは反対勝手となる。又、チェーン４の長さも必要に応じて長くしたり、短くしたりすれば良く、トイレットロールペーパー８の切断部を装飾しない時は、挟み部材１を取り外すことによりトイレットペーパーホルダー９の側面下へ吊り下げられた状態となる。
【産業上の利用可能性】
【００２０】
本考案の取付プレートを壁に付着させて取付け、挟み部材で捲った紙を挟持するようにすれば、トイレットロールペーパーの切断部の装飾のみならず、例えば一枚宛捲って保持するような壁掛カレンダーにも利用の可能性がある。
【図面の簡単な説明】
【００２１】
【図１】本考案の実施例を示す斜視図である。
【図２】挟み部材への装飾体の取付け装着例を示す要部断面図である。
【図３】本考案を装着した使用例を示す斜視図である。
【符号の説明】
【００２２】
１  挟み部材
１ａ，１ｂ  アーム
１ｃ  挟み口
２  装飾体
２ａ  ビーズ（装飾玉）
３  取付プレート
３ａ  平板
３ｂ  連結部材
４  チェーン
４ａ  連結端子
４ｂ，４ｃ  球体
５  軸
６  バネ
７  係止ストッパー
８  トイレットロールペーパー
８ａ  折り曲げ部
９  トイレットペーパーホルダー
９ａ  カバー部
【図１】
0003110956.tif 000003
【図２】
0003110956.tif 000004
【図３】
0003110956.tif 000005